(57)【特許請求の範囲】
【請求項１】
使用不可とされたＩＣカードの情報が登録されたネガリストデータベースを有するセンター装置と、前記センター装置と通信可能に接続されたカード端末とを備えるＩＣカードシステムであって、
前記カード端末は、
使用不可とされたＩＣカードの情報が登録されたネガリストと、
前記ネガリストに登録されているＩＣカードに使用不可を示す情報を書き込む使用不可情報書き込み手段と、
前記使用不可情報書き込み手段によって使用不可を示す情報が書き込まれた場合、前記ネガリストから前記ＩＣカードの情報を削除する第１の削除手段と、
前記ネガリストの記憶領域に一定量の領域を確保しておき、当該ネガリストの記憶容量を超えるＩＣカードの情報を、前記ネガリストから所定の順に削除する第２の削除手段と、
を備え、
前記センター装置は、
前記第２の削除手段によって前記カード端末のネガリストから削除されたＩＣカードの情報を前記ネガリストデータベースに記憶し、
前記カード端末は、
前記第２の削除手段によって前記ネガリストから削除されたＩＣカードの情報のうち一定数を、前記センター装置のネガリストデータベースから読み出して前記ネガリストに再登録する再登録手段と、
を備えることを特徴とするＩＣカードシステム。
【請求項２】
使用不可とされたＩＣカードの情報が登録されたネガリストデータベースを有するセンター装置と、前記センター装置と通信可能に接続されたカード端末とを備えるＩＣカードシステムであって、
前記カード端末は、
使用不可とされたＩＣカードの情報が登録されたネガリストと、
前記ネガリストに登録されているＩＣカードの内部情報を破壊する内部情報破壊手段と、
前記内部情報破壊手段によって内部情報が破棄された場合、前記ネガリストから前記ＩＣカードの情報を削除する第１の削除手段と、
前記ネガリストの記憶領域に一定量の領域を確保しておき、当該ネガリストの記憶容量を超えるＩＣカードの情報を、前記ネガリストから所定の順に削除する第２の削除手段と、
を備え、
前記センター装置は、
前記第２の削除手段によって前記カード端末のネガリストから削除されたＩＣカードの情報を前記ネガリストデータベースに記憶し、
前記カード端末は、
前記第２の削除手段によって前記ネガリストから削除されたＩＣカードの情報のうち一定数を、前記センター装置のネガリストデータベースから読み出して前記ネガリストに再登録する再登録手段と、
を備えることを特徴とするＩＣカードシステム。
【請求項３】
前記所定の順は、前記ネガリストに登録された日時の古い順であることを特徴とする請求項１または２に記載のＩＣカードシステム。
【請求項４】
前記センター装置は、
使用不可とされたＩＣカードの情報が登録されたネガリストデータベースと、
カード端末のログ情報を監視するログ情報監視手段と、
前記ログ情報に基づいて、前記ネガリストデータベースに登録されているＩＣカードの使用を検出する検出手段と、
前記検出手段により検出されたＩＣカードの情報を、カード端末のネガリストに登録する指示を行う登録指示手段と、
を備えることを特徴とする請求項１乃至３の何れか１項に記載のＩＣカードシステム。
【発明の詳細な説明】
【０００１】
【発明の属する技術分野】
本発明は、ネガリストに登録されたＩＣカードが不正に使用されることを効率的に防止するＩＣカードシステムに関し、ワイヤレスカード応用分野全般に利用可能である。
【０００２】
【従来の技術】
従来のＩＣカードシステムでは、紛失・盗難等で使用不可とされたＩＣカードをリストアップし、これらのＩＣカードをＩＣカードリード／ライト端末（以下、カード端末と称す）に登録することにより、使用不可とされたＩＣカードが不正に使用されることを防止するものがある。
【０００３】
使用不可とされたＩＣカードが登録されたリストは、一般に、ネガティブリスト、ブラックリスト等の名称（以下、ネガリストと称す）で呼ばれ、カード端末のネガリストに登録されているＩＣカードは使用できなくなる。
【０００４】
【発明が解決しようとする課題】
しかしながら、ＩＣカードが普及し、利用されるＩＣカード数が増加するにつれ、ネガリストに記憶する必要があるカード数も増加する。
【０００５】
一方、カード端末には小型の装置もあり、これら増加するネガリストの情報を全てカード端末に記憶しておくことは不可能である。
【０００６】
このため、従来のＩＣカードシステムでは、カード端末の記憶容量以上のネガリスト情報が存在する場合、使用不可とされたＩＣカードの登録漏れが発生し、このようなＩＣカードが不正に利用されることを防止できないという問題があった。
【０００７】
そこで、本発明の目的は、使用不可とされたＩＣカードの不正利用を効率的に防止することが可能なＩＣカードシステムを提供することである。
【０００８】
【課題を解決するための手段】
上述した課題を解決するために、本発明によれば、使用不可とされたＩＣカードの情報が登録されたネガリストデータベースを有するセンター装置と、前記センター装置と通信可能に接続されたカード端末とを備えるＩＣカードシステムであって、前記カード端末は、使用不可とされたＩＣカードの情報が登録されたネガリストと、前記ネガリストに登録されているＩＣカードに使用不可を示す情報を書き込む使用不可情報書き込み手段と、前記使用不可情報書き込み手段によって使用不可を示す情報が書き込まれた場合、前記ネガリストから前記ＩＣカードの情報を削除する第１の削除手段と、前記ネガリストの記憶領域に一定量の領域を確保しておき、当該ネガリストの記憶容量を超えるＩＣカードの情報を、前記ネガリストから所定の順に削除する第２の削除手段と、を備え、前記センター装置は、
前記第２の削除手段によって前記カード端末のネガリストから削除されたＩＣカードの情報を前記ネガリストデータベースに記憶し、前記カード端末は、前記第２の削除手段によって前記ネガリストから削除されたＩＣカードの情報のうち一定数を、前記センター装置のネガリストデータベースから読み出して前記ネガリストに再登録する再登録手段と、を備えることを特徴とする。
【０００９】
また、本発明の一態様によれば、使用不可とされたＩＣカードの情報が登録されたネガリストデータベースを有するセンター装置と、前記センター装置と通信可能に接続されたカード端末とを備えるＩＣカードシステムであって、前記カード端末は、使用不可とされたＩＣカードの情報が登録されたネガリストと、前記ネガリストに登録されているＩＣカードの内部情報を破壊する内部情報破壊手段と、前記内部情報破壊手段によって内部情報が破棄された場合、前記ネガリストから前記ＩＣカードの情報を削除する第１の削除手段と、前記ネガリストの記憶領域に一定量の領域を確保しておき、当該ネガリストの記憶容量を超えるＩＣカードの情報を、前記ネガリストから所定の順に削除する第２の削除手段と、を備え、前記センター装置は、前記第２の削除手段によって前記カード端末のネガリストから削除されたＩＣカードの情報を前記ネガリストデータベースに記憶し、前記カード端末は、前記第２の削除手段によって前記ネガリストから削除されたＩＣカードの情報のうち一定数を、前記センター装置のネガリストデータベースから読み出して前記ネガリストに再登録する再登録手段と、を備えることを特徴とする。
【００１０】
また、本発明の一態様によれば、前記所定の順は、前記ネガリストに登録された日時の古い順であることを特徴とする。
【００１１】
また、本発明の一態様によれば、前記センター装置は、使用不可とされたＩＣカードの情報が登録されたネガリストデータベースと、カード端末のログ情報を監視するログ情報監視手段と、前記ログ情報に基づいて、前記ネガリストデータベースに登録されているＩＣカードの使用を検出する検出手段と、前記検出手段により検出されたＩＣカードの情報を、カード端末のネガリストに登録する指示を行う登録指示手段と、を備えることを特徴とする。
【００１２】
【発明の実施の形態】
以下、本発明の一実施例に係わるＩＣカードシステムについて図面を参照しながら説明する。
【００１３】
図１は、本発明の一実施例に係わるＩＣカードシステムの構成を示すブロック図である。図１において、センター１には、ログ情報監視手段２及びネガリストデータベース３が設けられ、カード端末４ａ〜４ｃには、ネガリスト５ａ〜５ｃ、ネガリスト更新手段６ａ〜６ｃ及び使用不可情報書き込み手段７ａ〜７ｃが設けられ、各カード端末４ａ〜４ｃは通信ネットワークを介してセンター１と接続されている。なお、通信ネットワークは、無線または有線のいずれでもよく、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット、アナログ電話網、デジタル電話網（ＩＳＤＮ：Ｉｎｔｅｇｒａｌ  Ｓｅｒｖｉｃｅ  Ｄｉｇｉｔａｌ  Ｎｅｔｗｏｒｋ）、ＰＨＳ（パーソナルハンディシステム）、衛星通信網などが利用可能である。
【００１４】
ログ情報監視手段２は、カード端末４ａ〜４ｃで使用されるＩＣカード８ａ〜８ｃのログ情報を収集し、カード端末４ａ〜４ｃでＩＣカード８ａ〜８ｃの不正使用がないかどうかを監視する。
【００１５】
ネガリストデータベース３は、使用不可とされたＩＣカード８ａ〜８ｃのＩＤ情報１０ａ〜１０ｃを登録する。
【００１６】
ネガリスト５ａ〜５ｃは、各カード端末４ａ〜４ｃの記憶容量に応じて、使用不可とされたＩＣカード８ａ〜８ｃのＩＤ情報１０ａ〜１０ｃを登録する。
【００１７】
ネガリスト更新手段６ａ〜６ｃは、使用不可とされたＩＣカード８ａ〜８ｃのＩＤ情報１０ａ〜１０ｃをネガリスト５ａ〜５ｃに書き込んだり、使用不可とされたＩＣカード８ａ〜８ｃのＩＤ情報１０ａ〜１０ｃをネガリスト５ａ〜５ｃから削除したりする。
【００１８】
使用不可情報書き込み手段７ａ〜７ｃは、ネガリスト５ａ〜５ｃに登録されているＩＣカード８ａ〜８ｃが使用された場合、ＩＣカード８ａ〜８ｃの内部情報９ａ〜９ｃに、そのＩＣカード８ａ〜８ｃが使用できないものであることを示す情報を書き込む。
【００１９】
例えば、ＩＣカード８ａのＩＤ情報１０ａがカード端末４ａのネガリスト５ａに登録されている状態で、ＩＣカード８ａがカード端末４ａで使用されたものとする。この場合、カード端末４ａは、ＩＣカード８ａのＩＤ情報１０ａとネガリスト５ａに登録されているＩＤ情報とを比較することにより、ＩＣカード８ａの不正使用を判断する。
【００２０】
カード端末４ａがＩＣカード８ａの不正使用を発見すると、使用不可情報書き込み手段７ａは、ＩＣカード８ａの内部情報９ａに、そのＩＣカード８ａが使用できないものであることを示す情報を書き込む。
【００２１】
ネガリスト更新手段６ａ〜６ｃは、ＩＣカード８ａの使用不可情報がＩＣカード８ａの内部情報９ａに書き込まれると、カード端末４ａのネガリスト５ａからＩＣカード８ａのＩＤ情報１０ａを削除する。
【００２２】
また、カード端末４ａは、ＩＣカード８ａの使用不可情報がＩＣカード８ａの内部情報９ａに書き込まれたことを、センター１に通知する。
【００２３】
センター１は、この通知をカード端末４ａから受け取ると、センター１のネガリストデータベース３からＩＣカード８ａのＩＤ情報１０ａを削除するとともに、ＩＣカード８ａのＩＤ情報１０ａの削除指示をカード端末４ｂ、４ｃに対して行う。
【００２４】
カード端末４ｂ、４ｃは、ＩＣカード８ａのＩＤ情報１０ａの削除指示をセンター１から受け取ると、カード端末４ｂ、４ｃのネガリスト４ｂ、４ｃからＩＣカード８ａのＩＤ情報１０ａを削除する。
【００２５】
使用不可情報が書き込まれたＩＣカード８ａがカード端末４ａ〜４ｃのいずれかで使用されると、各カード端末４ａ〜４ｃは、ＩＣカード８ａの使用を受け付ける前に、ＩＣカード８ａの内部情報９ａを調べる。ここで、ＩＣカード８ａの内部情報９ａには、ＩＣカード８ａの使用不可情報が登録されているので、そのＩＣカード８ａは使用できないものであると判断されて、そのＩＣカード８ａの使用は拒否される。
【００２６】
このように、不正使用されたＩＣカード８ａの内部情報９ａにＩＣカード８ａの使用不可情報を書き込むことにより、カード端末４ａ〜４ｃのネガリスト５ａ〜５ｃからＩＣカード８ａのＩＤ情報１０ａが削除された場合においても、ＩＣカード８ａの不正使用を発見することが可能となり、ＩＣカード８ａを不正利用を防止することが可能となるとともに、ネガリスト情報の情報量削減が可能となる。
【００２７】
なお、ネガリスト５ａ〜５ｃに登録されているＩＣカード８ａ〜８ｃがカード端末４ａ〜４ｃで使用された場合、カード端末４ａ〜４ｃは、ＩＣカード８ａ〜８ｃの内部情報９ａ〜９ｃを破壊することにより、そのＩＣカード８ａ〜８ｃの使用が不可能となるようにしてもよい。
【００２８】
また、各カード端末４ａ〜４ｃは、ネガリスト５ａ〜５ｃに登録されるＩＣカード８ａ〜８ｃの数が多くなりすぎて、それらの情報を各カード端末４ａ〜４ｃに記憶しきれなくなった場合、ネガリスト情報として登録されている日時の古いものから順次削除し、新規に登録されたものをネガリスト５ａ〜５ｃに残すようにする。
【００２９】
このことにより、各カード端末４ａ〜４ｃの限られた記憶容量を有効に使用しつつ、ＩＣカード８ａ〜８ｃの不正利用を効率的に防止することが可能となる。ここで、ＩＣカード８ａ〜８ｃの発行枚数が増加するにつれて、ネガリスト５ａ〜５ｃへの登録対象となるＩＣカード８ａ〜８ｃの数も増加する。このため、カード端末４ａ〜４ｃの記憶容量が限られる現状では、ネガリスト５ａ〜５ｃに登録できないＩＣカード８ａ〜８ｃの数も増加する。特に、ネガリスト情報として登録されている日時の古いものから順次削除していくと、ネガリストに一旦登録されたＩＣカードもある程度の期間を経過すれば、一時的に（使用されたことが判明して、再度各カード端末４ａ〜４ｃのネガリスト５ａ〜５ｃに記憶されるまでは）使用できるようになる。
【００３０】
そこで、各カード端末４ａ〜４ｃは、各カード端末４ａ〜４ｃのネガリスト情報の記憶領域に一定量の領域を確保しておく。そして、センター１は、各カード端末４ａ〜４ｃに記憶しきれなくなったため、カード端末４ａ〜４ｃのネガリスト５ａ〜５ｃから削除された情報のうち一定数の情報を、ネガリストデータベース３からランダムまたは一定の法則で取り出し、カード端末４ａ〜４ｃに送信し、カード端末４ａ〜４ｃはこれを受信してカード端末４ａ〜４ｃの上記一定量の領域が確保されたネガリスト５ａ〜５ｃに定期的に再登録する。
【００３１】
このことにより、長期間不正使用されないＩＣカード８ａ〜８ｃを見つ出すために、カード端末４ａ〜４ｃの限られた記憶容量が占有されることを防止しつつ、長期間不正使用されなかったＩＣカード８ａ〜８ｃを発見することが可能となる。
【００３２】
また、カード端末４ａ〜４ｃのネガリスト５ａ〜５ｃに記憶されていない使用不可のＩＣカード８ａ〜８ｃが使用されると、そのカード端末４ａ〜４ｃでは、そのＩＣカード８ａ〜８ｃの使用を制限することが不可能となることがある。
【００３３】
そこで、センター１は、使用されたＩＣカード８ａ〜８ｃの情報を各カード端末４ａ〜４ｃから定期的に集計する。そして、センター１は、各カード端末４ａ〜４ｃから転送された使用履歴データを調べ、その使用履歴データから使用されたＩＣカード８ａ〜８ｃのＩＤ情報１０ａ〜１０ｃを取り出す。そして、そのＩＣカード８ａ〜８ｃのＩＤ情報１０ａ〜１０ｃとセンター１のネガリストデータベース３に登録されているＩＤ情報とを照合し、それらのＩＤ情報が一致するかどうかを調べる。もし、一致するカードＩＤ情報１０ａ〜１０ｃがあった場合、そのＩＤ情報１０ａ〜１０ｃを各カード端末４ａ〜４ｃに配信し、各カード端末４ａ〜４ｃのネガリスト情報に記憶させる。
【００３４】
このことにより、使用不可のＩＣカード８ａ〜８ｃがカード端末４ａ〜４ｃのネガリスト５ａ〜５ｃに登録されていない場合においても、そのＩＣカード８ａ〜８ｃが不正使用されることを防止することが可能となる。
【００３５】
ここで、ＩＣカード８ａ〜８ｃが不正使用される場合、通常同じ人物がそのＩＣカード８ａ〜８ｃを使用することが多いことから、前回の使用時と同じ用途、あるいは前回使用された地域の近郊で再使用されることが多い。このため、ネガリスト５ａ〜５ｃへの再登録を行うカード端末４ａ〜４ｃとして、これらの条件に合致したものを選択する。このことにより、各カード端末４ａ〜４ｃごとにＩＣカード８ａ〜８ｃの不正使用の防止に最も有効な情報を登録することが可能となり、各カード端末４ａ〜４ｃにおける記憶容量の増加を防止しつつ、ＩＣカード８ａ〜８ｃの不正使用を効率的に防止することが可能となる。
【００３６】
ここで、センター１は、一致したＩＤ情報１０ａ〜１０ｃをカード端末４ａ〜４ｃに配信する際に、そのＩＣカード８ａ〜８ｃが使用されたカード端末４ａ〜４ｃの種別に基づいて、カード端末４ａ〜４ｃを選択することができる。例えば、ＩＣカード８ａ〜８ｃが列車の乗車券として不正使用された場合、そのＩＣカード８ａ〜８ｃが再度不正使用される際には、乗車券として使用される確率が高いと判断し、乗車券を扱うカード端末４ａ〜４ｃに対してそのＩＣカード８ａ〜８ｃの情報を重点的に配信して、他の種類のカード端末４ａ〜４ｃへの配信を制限する。
【００３７】
また、センター１は、ＩＣカード８ａ〜８ｃが不正使用された地域を割り出し、その地域の近郊のカード端末４ａ〜４ｃに、そのＩＣカード８ａ〜８ｃの情報を重点的に配信することもできる。
【００３８】
図２は、本発明の一実施例に係わるＩＣカード端末の動作を示すフローチャートである。図２において、カード端末４ａ〜４ｃは、ＩＣカード８ａ〜８ｃと交信を開始すると（ステップＳ１）、ＩＣカード８ａ〜８ｃの内部情報１０ａ〜１０ｃを読み込む（ステップＳ２）。ここで、ＩＣカード８ａ〜８ｃに記憶されている特定情報または特定ビットの状態から、ＩＣカード８ａ〜８ｃが使用禁止とされ、利用無効かどうかを判断する（ステップＳ３）。ＩＣカード８ａ〜８ｃに使用禁止情報が書き込まれている場合、その旨をカード使用者に通知し（ステップＳ４）、必要ならば、ＩＣカード８ａ〜８ｃをそのまま回収する。
【００３９】
一方、ＩＣカード８ａ〜８ｃに使用禁止情報が書き込まれていない場合、ＩＣカード８ａ〜８ｃのＩＤ情報１０ａ〜１０ｃを読み込み（ステップＳ５）、カード端末４ａ〜４ｃに記憶されているネガリスト情報と照合する（ステップＳ６）。ここで、ＩＣカード８ａ〜８ｃのＩＤ情報１０ａ〜１０ｃがネガリスト５ａ〜５ｃに記憶されているＩＤ情報と一致した場合には、ＩＣカード８ａ〜８ｃの内部情報１０ａ〜１０ｃに、そのＩＣカード８ａ〜８ｃが使用不可であることを示すデータの書き込むことにより、そのＩＣカード８ａ〜８ｃが使用できないようにする（ステップＳ７）。そして、カード使用者にその旨を通知し（ステップＳ４）、必要ならば、そのままＩＣカード８ａ〜８ｃを回収する。
【００４０】
なお、ＩＣカード８ａ〜８ｃの内部情報１０ａ〜１０ｃを破壊することにより、そのＩＣカード８ａ〜８ｃが使用できなくなるようにしてもよい。
【００４１】
ＩＣカード８ａ〜８ｃのＩＤ情報１０ａ〜１０ｃがネガリスト５ａ〜５ｃに記憶されているＩＤ情報と一致しない場合には、そのＩＣカード８ａ〜８ｃは使用可能であると判断して、アプリケーションによる通常処理を行う（ステップＳ８）。
【００４２】
また、カード端末４ａ〜４ｃは、使用された全てのＩＣカード８ａ〜８ｃの情報を記憶しておき、必要な際には、センター１にこれらの記憶情報を転送する。センター１は、センター１に転送された使用履歴データの中に、カード端末４ａ〜４ｃのネガリスト情報と一致したためにＩＣカード８ａ〜８ｃを使用不可とする処理を施した記録があった場合、ＩＣカード８ａ〜８ｃのＩＤ情報１０ａ〜１０ｃをネガリストデータベース３から削除するとともに、そのＩＣカード８ａ〜８ｃのＩＤ情報１０ａ〜１０ｃをネガリスト５ａ〜５ｃから削除する旨を各カード端末４ａ〜４ｃに指示する。このことにより、不要なネガリスト情報を各カード端末４ａ〜４ｃから削除し、その分有効なネガリスト情報をカード端末４ａ〜４ｃに記憶しておくことが可能となり、ＩＣカード８ａ〜８ｃの不正使用を抑制・防止する効果を向上させることが可能となるとともに、ＩＣカード運営事業者の不要支出を削減することが可能となる。
【００４３】
【発明の効果】
以上説明したように、本発明によれば、ネガリストの記憶領域に一定量の領域を確保しておき、当該ネガリストの記憶容量を超えるＩＣカードの情報を削除する際に、前記ネガリストから所定の順に、例えば、ネガリストに登録された日時の古いものから順に削除することにより、前記ネガリストから所定の順でＩＣカードの情報を削除することで、使用不可とされたＩＣカードの不正利用を効率的に防止することが可能となる。また、ネガリストから削除されたＩＣカードの情報のうち一定数を、センター装置のネガリストデータベースから読み出してカード端末に再登録することにより、ネガリストから削除されたＩＣカードが永遠に使用され続けることを防止することが可能となる。
【００４４】
また、本発明の一態様によれば、ネガリストの記憶容量を超えるＩＣカードの情報を削除する際に、ネガリストに登録された日時の古いものから順に削除することにより、使用頻度の高いものを優先的にネガリストに残すことが可能となり、使用不可とされたＩＣカードの不正利用を効率的に防止することが可能となる。
【００４５】
また、本発明の一態様によれば、ＩＣカードの使用状況をセンタで監視することにより、カード端末のネガリストに登録されていないＩＣカードが不正使用された場合においても、そのＩＣカードを見つけ出すことが可能となり、カード端末の記憶容量を増加させることなく、使用不可とされたＩＣカードの不正利用を効率的に防止することが可能となる。
【図面の簡単な説明】
【図１】本発明の一実施例に係わるＩＣカードシステムの構成を示すブロック図である。
【図２】本発明の一実施例に係わるカード端末の動作を示すフローチャートである。
【符号の説明】
１  センター
２  ログ情報監視手段
３  ネガリストデータベース
４ａ〜４ｃ  カード端末
５ａ〜５ｃ  ネガリスト
６ａ〜６ｃ  ネガリスト更新手段
７ａ〜７ｃ  使用不可情報書き込み手段
８ａ〜８ｃ  ＩＣカード
９ａ〜９ｃ  内部情報
１０ａ〜１０ｃ  ＩＤ情報
【図１】
0004192318.tif 000002
【図２】
0004192318.tif 000003